(57)【要約】【課題】鍵盤楽器やギターなどのコード演奏、作曲や編曲をする場合に必要となるコード(和音)を学ぶ際、ルート音（根音）を設定するだけで、そのルート音のコード構成音の全てが表示され、根本的なコード変化の仕組みを理解することができ、コンパクトで軽量な学習器を提供する。【解決手段】学習器の回転盤に表記されている確認したいコードのルート音をコード機能盤の度数欄の「I」に合わせて、コード機能盤のコードネームが示す場所の回転盤の音を見るだけでコード構成音がわかる。回転盤は鍵盤のデザインであるため押し鍵する形も確認でき、転回型もすぐに確認できる。【選択図】図３
2019211706.tif 000002
【特許請求の範囲】
【請求項１】
円盤を中心から放射状に１２分割して鍵盤１オクターブ（１２音）に対応した白黒鍵盤に見立てたデザインを施し、各鍵盤に対応した１２音階の英語式（ＡＢＣ表記）とイタリア式（ドレミ表記）と英語表記のメジャーコードに対応するマイナーコードを記載し、円盤の中心部で回転できるようにした鍵盤型回転盤。
【請求項２】
請求事項１の鍵盤型回転盤の２倍程度の直径の円盤を中心から放射状に１２分割して線を描いて仕切り、請求事項１の鍵盤型回転盤を同じ中心に配置して、この回転盤の直径を最小円として描き、その外周に「音階度数表記エリア」、その外周に「コード機能表記エリア」、その外周に「テンション表記エリア」、その外周に「インターバル表記エリア」、その外周に「時計数字表記エリア」を配置し、各エリア毎に大きさの違う円を描いて放射状の線とで仕切られた各枠に１２音階のそれぞれのコード上での役割を記述したコード機能盤。
【請求項３】
コード機能盤の各エリアは見やすくするために色分けしても良いし、文字色を変えても良い。また、鍵盤型回転盤の文字色を変えても見やすくなる。
【請求項４】
請求事項２のコード機能盤の「時計数字表記エリア」は、時計と同様に頂点に「１２」を表記し、時計回りに１から１１の数字を表記する。
【請求項５】
請求事項２のコード機能盤の「音階度数表記エリア」は、１時の位置に音階の度数「I」とコード役割のトニックを示す「Ｔ」とモード種類のアイオニアン（イオニアン）を示す略文字「Ｉｏｎ」、３時の位置に度数「II」とコード役割サブドミナント系列であることを意味する「（ＳＤ）」とモード種類のドリアンを示す略文字「Ｄｏｒ」、５時の位置に度数「III」とコード役割のトニック系列であることを示す「（Ｔ）」とモード種類のフリジアンを示す略文字「Ｐｈｒ」、６時の位置に度数「IV」とコード役割のサブドミナントであることを示す「ＳＤ」とモード種類のリディアンを示す略文字「Ｌｙｄ」、８時の位置に度数「V」とコード種類のドミナントであることを示す「Ｄ」とモード種類のミクソリディアンを示す略文字「Ｍｉｘ」、１０時の位置に度数「VI」とコード役割のトニック系列であることを示す「（Ｔ）」とモード種類のエオリアンを示す略文字「Ａｅｏ」、１２時の位置に度数「VII」とコード役割のドミナント系列であることを意味する「（Ｄ）」とモード種類のロクリアンを示す略文字「Ｌｏｃ」をそれぞれ表記する。
【請求項６】
請求事項２のコード機能盤の「コード機能表記エリア」は、度数Iの外側に「Root」、度数IIと度数IIIの間に「ｍ/dim」（マイナーまたはディミニッシュの意味）とIIIのＭから矢印を描いてIIIが半音下がることを意味、度数IIIの外側に「Ｍ」（メジャーの意味）、度数IVに「sus4」（サスペンデッド４の意味）とIIIのＭから矢印を描いてIIIが半音上がることを意味、度数IVと度数Vの間に「dim（♭5）」（ディミニッシュまたはフラットファイブの意味）とVのＭから矢印を描いてVが半音下がることを意味、度数Vの外側に「Ｍ/ｍ」（メジャーとマイナー共通の意味）、度数Vと度数VIの間に「aug（#5）」（オーギュメントまたはシャープ・ファイブの意味）とVのＭ/ｍから矢印を描いてVが半音上がることを意味、度数VIの外側に「6/dim7」（シックスまたはディミニッシュ・セブンスの意味）、度数VIと度数VIIの間に「7」（セブンスの意味）、度数VIIに「mai7(M7)」（メジャー・セブンスの意味）を表記する。
【請求項７】
請求事項２のコード機能盤の「テンション表記エリア」は、２時の位置に「♭9th」（フラット・ナインス）、３時の位置に「9th」（ナインス）、４時の位置に「#9th」（シャープ・ナインス）、６時の位置に「11th」（イレブンス）、７時の位置に「#11th」（シャープ・イレブンス）、９時の位置に「♭13th」（フラット・サーティーンス）、１０時の位置に「13th」（サーティーンス）を表記する。
【請求項８】
請求事項２のコード機能盤の「インターバル表記エリア」は、度数Iに対して「完全８・完全１度」を表記し時計回りに「「増１・短２度」、「長２度」、「短３・増２度」、「減４・長３度」、「完全４度」、「減５・増４度」、「完全５度」、「増５・短６度」、「長６・減７度」、「増６・短７度」、「長７度」を表記する。
【請求項９】
請求事項２のコード機能盤の中心と請求事項1の鍵盤型回転盤の中心を同一にして回転するように軸を固定する。
【発明の詳細な説明】
【技術分野】
【０００１】
本発明は、音楽におけるコードの学習に関し、コードネームと構成する音の関係性を視覚的に確認でき、楽曲におけるコードの機能やモード（旋法）に対応したスケールも確認できるようにしたコード学習機に関する。
【背景技術】
【０００２】
コード学習は、出版されているコードブックなどによって行われ、目的のコードネームのページを開き押し鍵する指の形や場所を覚える。
【先行技術文献】
【特許文献】
【０００３】
【特許文献１】特開平４−２７７７８７号のコード学習器
【特許文献２】特開平４−１８６２７３号の音楽和音コード盤及び音楽の和音コード盤シート
【非特許文献】
【０００４】
【非特許文献１】一般的な鍵盤コードブックなど。
【発明の概要】
【発明が解決しようとする課題】
【０００５】
現在のコードブックなどの場合、参照したいコードネームのページに鍵盤の図にコード構成音の鍵盤を指の形やマークなどで示される形状的な覚え方であり、コードが変われば違う形を覚えることになり、コードの数だけ形を覚える必要があるため、覚えにくく応用が利かないため効率的なコード学習が行われず、コードの根本的な理解がされにくいという課題がある。
【０００６】
先行技術の特許文献にあげた２件は、コードネームと構成音の関係性や音階度数とコード内での各音の役割がわからないという課題がある。
【０００７】
コード(和音)やスケール(音階)の学習にはキー（調）が変わっても共通解釈が出来る「音階度数」での理解が不可欠であり、先行技術の文献では「音階度数」を基本として音階内の各音の役割とコードネームとの関連性に触れていなかったり別記述のため理解されにくい。
【０００８】
鍵盤楽器のコードには「転回型」があり、例えばＣメジャーコードの構成音はド・ミ・ソの３音であるが、押し鍵の仕方は、ドミソ、ミソド、ソドミの３種類があるため表記は３つの形を表記する必要があり、４音で構成されるコードは４つの形の表記が必要となる。
【０００９】
１２音それぞれをルート（根音）にしたコードが存在するため、それを押し鍵の図で表記するには量が多いため本の形態にするとページ数が多くなり分厚く大きなものとなる。よって同一ルートの目的のコードを探すためにページをめくる作業が必要となる。
【課題を解決するための手段】
【００１０】
本発明は、上記課題を解決し、コードを押し鍵の形によって覚えるのではなく、３つの音で構成される３和音（トライアド）のメジャーコードを基本にして組み合わせる音の違いによるコード名の変化を視覚的に確認してコード構成音を学習することを目的とする。
【００１１】
円盤の中を放射状に１２分割して１オクターブの鍵盤デザインを施し、各鍵盤に対して音名を表記した鍵盤型回転盤を音階度数やコード機能やテンションを鍵盤型回転盤と同様に１２分割して放射状に表記したコード機能盤に中心点で回転するように留めたものである。
【００１２】
鍵盤型回転盤の目的とするコードのルート音をコード機能盤の音階度数表示エリアのI（Ｒｏｏｔ）に回転して合わることで、コードの構成音が全て示されているので、目的のコード機能やテンション音に対して見る場所を変えるだけでどの鍵盤を押せばよいかが確認できる。
【００１３】
音階は音の高低があるが、音名は１２音によるループであるため円盤内の鍵盤はどの音の高さでも適用でき、押し鍵の転回型も一目で確認できる。
【００１４】
本発明だけですべてのコード構成音を確認できるため薄く軽く小さくできる。
【００１５】
コード機能盤の表記方法を１オクターブ（１２音）を度数Ｉから馴染みのある時計の文字盤と同様の位置に表記することで、よりわかり易く伝えやすい表記にした。
【発明の効果】
【００１６】
本発明は、１つのルート音に対する１０数種類ものコードを１度の設定で確認することができ、１つのコードに使用する各音の度数や構成音の上下変化や追加によるコードネームとの関係性を視覚的に確認できるので、根本的なコードの構成音の仕組みを理解しやすい。また、数十ページに及ぶコードブックを本発明１つに置き換えることができる。
【図面の簡単な説明】
【００１７】
【図１】本発明の鍵盤をデザインし音名を表記した鍵盤型回転盤である。
【図２】図１の鍵盤型回転盤を中心に取り付ける度数やコードの機能、テンションを表記したコード機能盤である。
【図３】Ｃ(ド)をルート音とする本発明品の図１と図２の組み合わせ位置を示す。
【図４】Ｃ＃/Ｄ♭(ド＃/レ♭)をルート音とする本発明品の図１と図２の組み合わせ位置を示す。
【図５】Ｄ(レ)をルート音とする本発明品の図１と図２の組み合わせ位置を示す。
【図６】Ｄ＃/Ｅ♭(レ＃/ミ♭)をルート音とする本発明品の図１と図２の組み合わせ位置を示す。
【図７】Ｅ(ミ)をルート音とする本発明品の図１と図２の組み合わせ位置を示す。
【図８】Ｆ(ファ)をルート音とする本発明品の図１と図２の組み合わせ位置を示す。
【図９】Ｆ＃/Ｇ♭(ファ＃/ソ♭)をルート音とする本発明品の図１と図２の組み合わせ位置を示す。
【図１０】Ｇ(ソ)をルート音とする本発明品の図１と図２の組み合わせ位置を示す。
【図１１】Ｇ＃/Ａ♭(ソ＃/ラ♭)をルート音とする本発明品の図１と図２の組み合わせ位置を示す。
【図１２】Ａ(ラ)をルート音とする本発明品の図１と図２の組み合わせ位置を示す。
【図１３】Ａ＃/Ｂ♭(ラ＃/シ♭)をルート音とする本発明品の図１と図２の組み合わせ位置を示す。
【図１４】Ｂ(シ)をルート音とする本発明品の図１と図２の組み合わせ位置を示す。
【発明を実施するための形態】
【００１８】
円盤を１２分割して鍵盤１オクターブ（１２音）に対応した白黒鍵盤に見立てたデザインを施し、デザインした各鍵盤に対応した英語音階（ＡＢＣ表記）とイタリア音階（ドレミファソラシド）と英語音階のメジャーコード音に対応するマイナーコードを記載し、円盤の中心部に穴を開け回転できるようにした鍵盤型回転盤。
【００１９】
鍵盤型回転盤の直径を最小円とした円の外周に時計の１時の位置に音階の度数Iを表記し、順次３時の位置に度数II、５時の位置に度数III、６時の位置に度数IV、８時の位置に度数V、１０時の位置に度数VI、１２時の位置に度数VIIを表記し、円の中心点に回転盤の回転軸を固定するコード機能盤。
【００２０】
鍵盤型回転盤とコード機能盤の素材は、デザインを紙に印刷したものをラミネートしたものや、厚紙、プラスチック板、塩ビ板、アクリル板、金属板、木板などに施し、円の外周に沿って切り出して回転盤とし、図2のデザインを施したものは、デザインが欠けないように外周に沿った円状や直径以上の大きさを1辺とする四角形などに切り出してコード機能盤とする。鍵盤型回転盤とコード機能盤を円の中心同士で回転するようにカシメやハトメ、またはネジ、ボルト・ナットなどで固定し、鍵盤型回転盤の目的とするコードのルート音名を音階度数Ｉ（Root）の位置に回転して合わせることが出来るようにする。
または、電気的（ディスプレイなど）に表示出来るように携帯端末アプリやパソコンソフトにしてもよい。
【実施例】
【００２１】
本発明のコード構成音確認方法の実施例を図３にて説明する。
図３は、コードのルート音（度数I）にＣ（ド）を設定した場合の図である。
コード「Ｃ（シー・メジャー）」の構成音を見る場合は図３のように鍵盤型回転盤を回転してＣ（ド）をコード機能盤の度数「I」に合わせる。メジャーコードの３和音（トライアド）の構成音はI、III、Vであるから、度数IIIの位置にある鍵盤型回転盤のＥ（ミ）、度数Ｖの位置にある鍵盤型回転盤のＧ（）ソで示されるＣ（ド）、Ｅ（ミ）、Ｇ（ソ）が構成音であると確認できる。
【００２２】
コード「Ｃｍ（シー・マイナー）」は、コード機能盤の４時の位置に「m/dim」（マイナーまたはディミニッシュ）表記があり、度数IIIが矢印で反時計方向に移動（半音下がる）することを示す。度数Vは「M/m」（メジャーまたはマイナー）と表記しているので度数Vはマイナーの場合でも移動しないことを示しており、Ｃ（ド）、Ｄ#/Ｅ♭（レ＃/ミ♭）、Ｇ（ソ）が構成音であると確認できる。
【００２３】
コード「Ｃaug(#5または+5)」（シー・オーギュメント）は、コード機能盤の９時の位置に「aug(#5)」（オーギュメントまたはシャープフィフス）表記があり、度数Vが矢印で時計方向に移動（半音上がる）することを示す。度数IIIは変化しないので、Ｃ（ド）、Ｅ（ミ）、Ｇ＃（ソ＃）が構成音であると確認できる。
【００２４】
コード「Ｃdim」（シー・ディミニッシュ）は、コード機能盤の４時の位置に「m/dim」（マイナーまたはディミニッシュ）表記があり、度数IIIが矢印で反時計方向に移動（半音下がる）することを示す。度数Vも７時の位置に「dim（♭5）」（ディミニッシュまたはフラットフィフス）表記があるので矢印で反時計方向に移動（半音下がる）することを示しているので、Ｃ（ド）、Ｄ#/Ｅ♭（レ＃/ミ♭）、Ｆ＃/Ｇ♭（ファ＃/ソ♭）が構成音であると確認できる。
【００２５】
コード「Ｃsus4」（シー・サスペンデッド・フォース）は、コード機能盤の６時の位置に「sus4」(サスペンデッド・フォース)表記があり、度数IIIの「Ｍ」から矢印で時計回りに移動（半音上がる）すると示されているので、Ｃ（ド）、Ｆ（ファ）、Ｇ（ソ）が構成音であると確認できる。
【００２６】
コード「Ｃ６」（シー・シックス）は、Ｃメジャーコードに度数VI「６/dim7」の音を加えた、Ｃ（ド）、Ｅ（ミ）、Ｇ（ソ）、Ａ(ラ)が構成音であると確認できる。
【００２７】
コード「Ｃmaj７（ＣＭ７）」（シー・メジャーセブンス）は、Ｃメジャーコードに度数VII「maj7(M7)」の表記があるのでＢ（シ）の音を加えた、Ｃ（ド）、Ｅ（ミ）、Ｇ（ソ）、Ｂ(シ)が構成音であると確認できる。
【００２８】
コード「Ｃ７」（シー・セブンス）は、Ｃメジャーコードに11時の位置にある「７」の音を加えた、Ｃ（ド）、Ｅ（ミ）、Ｇ（ソ）、Ａ＃/Ｂ♭(ラ＃/シ♭）が構成音であると確認できる。
【００２９】
コード「Ｃaug７」（シー・オーギュメント・セブンス）は、Ｃオーギュメントコードに11時の位置にある「７」の音を加えた、Ｃ（ド）、Ｅ（ミ）、Ｇ＃/Ａ♭（ソ＃/ラ♭）、Ａ＃/Ｂ♭(ラ＃/シ♭）が構成音であると確認できる。
【００３０】
コード「Ｃｍ６」（シー・マイナー・シックス）は、Ｃマイナーコードに「６/dim7」表記の音を加えた、Ｃ（ド）、Ｄ#/Ｅ♭（レ＃/ミ♭）、Ｇ（ソ）、Ａ(ラ)が構成音であると確認できる。
【００３１】
コード「Ｃｍ７（シー・マイナー・セブンス）」は、Ｃマイナーコードに「７」表記の音を加えた、Ｃ（ド）、Ｄ#/Ｅ♭（レ＃/ミ♭）、Ｇ（ソ）、Ａ＃/Ｂ♭(ラ＃/シ♭）が構成音であると確認できる。
【００３２】
コード「ＣｍＭ７」（シー・マイナー・メジャー・セブンス）は、Ｃマイナーコードに「maj7（M7）」表記の音を加えた、Ｃ（ド）、Ｄ#/Ｅ♭（レ＃/ミ♭）、Ｇ（ソ）、Ｂ(シ)が構成音であると確認できる。
【００３３】
コード「Ｃｍ７♭５」（シー・マイナー・セブンス・フラットフィフス）は、Ｃｍ７コードから度数Vが反時計方向への矢印方向へ移動「dim（♭5）」するので、Ｃ（ド）、Ｄ#/Ｅ♭（レ＃/ミ♭）、Ｆ＃/Ｇ♭（ファ＃/ソ♭）、Ａ＃/Ｂ♭(ラ＃/シ♭）が構成音であると確認できる。
【００３４】
本発明のモード（旋法）における実施例を図８にて説明する。
例えば、「Ｄミクソリディアン」の場合に演奏する音階（スケール）を知りたい場合は、鍵盤型回転盤の「Ｄ」を８時の位置にある度数Vと同じ場所に表記してあるミクソリディアンを意味する「Ｍｉｘ」に合わせると度数Iは「Ｆ」であるため「Ｆメジャースケール」を演奏すれば良いことが確認できる。
また、「Ｅリディアン」は図１４の設定でＢメジャー・スケール、さらに「Ａフリジアン」は図８の設定でＤマイナー・スケール（Ｆメジャー・スケール）など、各モードでの適用スケールを確認することができる。
【産業上の利用可能性】
【００３５】
ピアノ、ギター、ベースなどのコード演奏楽器のコード学習や作曲・編曲時のアイデアに利用することが大いに有効である。
【符号の説明】
【００３６】
１  鍵盤型回転盤    ２  コード機能盤    ３  音階度数表記エリア
４  コード機能表記エリア    ５  テンション表記エリア
６  インターバル表記エリア    ７  時計数字表記エリア    ８  回転支点
【図１】
2019211706.tif 000003
【図２】
2019211706.tif 000004
【図３】
2019211706.tif 000005
【図４】
2019211706.tif 000006
【図５】
2019211706.tif 000007
【図６】
2019211706.tif 000008
【図７】
2019211706.tif 000009
【図８】
2019211706.tif 000010
【図９】
2019211706.tif 000011
【図１０】
2019211706.tif 000012
【図１１】
2019211706.tif 000013
【図１２】
2019211706.tif 000014
【図１３】
2019211706.tif 000015
【図１４】
2019211706.tif 000016